(57)【要約】【課題】コージェネレーション装置の給湯機能を利用した暖房機能や即湯機能の予約設定できる予約画面において、もともと設定していた予約時間と見比べながら予約時間を変更することができずに使い勝手が悪かった。【解決手段】機器の運転の予約内容を変更するための操作部２３と、操作部２３により設定された予約内容がアイコンとして複数表示されている表示部２２と、を備えているリモコン装置であって、表示部のアイコンは、少なくとも、機器が運転する予約内容が確定している場合に表示される第１表示４４と、機器が運転しない予約内容が確定している場合に表示され前記第１表示４４とは異なる第２表示４５と、操作部が操作されており機器の運転の予約内容が確定していない場合に表示され第１表示４４及び第２表示４５とは異なる第１及び第２仮予約表示４６、５４と、に変更するように設定されている。【選択図】図１
2012175415.tif 000002
【特許請求の範囲】
【請求項１】
機器の運転の予約内容を変更するための操作部と、
前記操作部により設定された予約内容がアイコンとして複数表示されている表示部と、を備えているリモコン装置であって、
前記表示部のアイコンは、少なくとも、機器が運転する予約内容が確定している場合に表示される第１表示と、機器が運転しない予約内容が確定している場合に表示され前記第１表示とは異なる第２表示と、前記操作部が操作されており機器の運転の予約内容が確定していない場合に表示され前記第１表示及び前記第２表示とは異なる仮予約表示と、に変更するように設定されていること、
を特徴とするリモコン装置。
【請求項２】
前記表示部のアイコンは、少なくとも、
前記第１表示を表示していた場合で前記操作スイッチ部において機器を運転しない予約に選択される場合に表示される第１仮予約表示と、
前記第２表示を表示していた場合で前記操作スイッチ部において機器が運転する予約に選択される場合に表示される第２仮予約表示と、
に変更するように設定されていること、
を特徴とする請求項１のリモコン装置。
【請求項３】
前記表示部のアイコンは、１時間毎に一日分、環状に表示されていること、
を特徴とする請求項１又は２に記載のリモコン装置。
【請求項４】
前記表示部のアイコンが前記第１表示を表示していた場合で前記操作部において機器が運転する予約を選択しようとした場合、前記第１表示を表示していたアイコンはスキップされて選択できないように設定されていること、
を特徴とする請求項１〜３のいずれか１項に記載のリモコン装置。
【請求項５】
前記表示部のアイコンが前記第２表示を表示していた場合で前記操作部において機器が運転しない予約を選択しようとした場合、前記第２表示を表示していたアイコンはスキップされて選択できないように設定されていること、
を特徴とする請求項１〜４のいずれか１項に記載のリモコン装置。
【請求項６】
前記表示部の全てのアイコンが前記第１表示を表示している場合は、前記操作部において機器が運転しない予約のみが選択できるように設定されていることこと、を特徴とする請求項１〜５のいずれか１項に記載のリモコン装置。
【請求項７】
前記表示部の全てのアイコンが前記第２表示を表示している場合は、前記操作部において機器が運転する予約のみが選択できるように設定されていること、
を特徴とする請求項１〜６のいずれか１項に記載のリモコン装置。
【発明の詳細な説明】
【技術分野】
【０００１】
本発明は、給湯器や発電装置に用いられるリモコン装置に関するものである。
【背景技術】
【０００２】
一般的に、リモコン装置が取り付けられるコージェネレーション装置や給湯器は、給湯機能を備えており、その給湯機能を利用して暖房機能や湯を供給する機能を実現している。そして、利用者が暖房機能や湯を供給する機能を所望の時間に利用できるように、リモコン装置よりコージェネレーション装置や給湯器の運転の予約設定ができるようになっている。
【０００３】
このリモコン装置での暖房機能や湯を供給する機能の予約画面については、通常なら予約時間を選択し、選択後に予約時間設定を行うことで予約が確定する。そこで、ユーザーが簡単に設定できるように予約設定する操作スイッチを減らし、予約時間を次へ選択するだけで予約時間が確定され、選択している間はそのアイコンを点滅させる方法が提案されている（例えば、特許文献１参照）。
【先行技術文献】
【特許文献】
【０００４】
【特許文献１】特開２００２−１３８０１号公報
【発明の概要】
【発明が解決しようとする課題】
【０００５】
しかしながら、従来の給湯器に用いられているリモコン装置では、一つのアイコン毎、つまり一時間毎に予約の設定を行っているため、選択中であることを示す点滅状態になるのは最大でも一つのアイコンだけであった。そのため、リモコン装置を操作する利用者は複数の時間帯について予約すべきかどうか迷っていたとしても、一時間毎にしか設定を行うことができず、利用者にとって使いづらいという課題があった。また、予約設定を選択している間にアイコンを点滅させると、画面のちらつきの原因となり、利用者にとって視認しにくいという課題があった。
【０００６】
本発明は、従来の課題を解決するもので、画面のちらつきを抑え、かつ、複数のアイコンが予約設定中か否かを表示することにより、利用者にとって操作が容易で分かり易いリモコン装置を提供することを目的とする。
【課題を解決するための手段】
【０００７】
前記従来の課題を解決するためには、機器の運転の予約内容を変更するための操作部と、操作部により設定された予約内容がアイコンとして複数表示されている表示部と、を備えているリモコン装置であって、表示部のアイコンは、少なくとも、機器が運転する予約内容が確定している場合に表示される第１表示と、機器が運転しない予約内容が確定している場合に表示され第１表示とは異なる第２表示と、操作部が操作されており機器の運転の予約内容が確定していない場合に表示され第１表示及び第２表示とは異なる仮予約表示と、に変更するように設定されていること、を備えたものである。
【発明の効果】
【０００８】
本発明のリモコン装置によれば、機能の予約設定画面について、もともと設定していた予約時間の予約内容と、これから設定しようとする予約設定中を示す予約内容とを区別して表示することで、予約時間を選択中に点滅させることなく画面表示でき、リモコン装置
の画面のちらつき可能性をなくし、利用者にとって操作が容易で分かり易いリモコン装置を実現することができる。
【図面の簡単な説明】
【０００９】
【図１】本発明の実施の形態１におけるコージェネレーション装置のブロック図
【図２】本発明の実施の形態１におけるリモコン装置の構成図
【図３】（ａ）同リモコン装置の表示部におけるメイン画面を示す図、（ｂ）同リモコン装置の表示部における機器設定画面を示す図、（ｃ）同リモコン装置の表示部における情報表示画面を示す図
【図４】（ａ）同リモコン装置の予約入画面における運転予約開始画面を示す図、（ｂ）同リモコン装置の予約入画面における運転予約選択中画面を示す図、（ｃ）同リモコン装置の予約入画面における運転予約完了画面を示す図
【図５】（ａ）同リモコン装置の予約切画面における運転予約開始画面を示す図、（ｂ）同リモコン装置の予約切画面における運転予約選択中画面を示す図、（ｃ）同リモコン装置の予約切画面における運転予約完了画面を示す図
【図６】（ａ）同リモコン装置の予約入画面における運転予約のオン確定アイコンを示す図、（ｂ）同リモコン装置の予約切画面における運転予約のオフ確定アイコンを示す図、（ｃ）同リモコン装置の予約入画面における運転予約のオン選択中アイコンを示す図、（ｄ）同リモコン装置の予約入画面における運転予約のオフ選択中アイコンを示す図
【発明を実施するための形態】
【００１０】
以下、本発明の実施の形態について、図面を参照しながら説明する。なお、この実施の形態によって本発明が限定されるものではない。
【００１１】
（実施の形態１）
図１は本発明の実施の形態１におけるコージェネレーション装置のブロック図である。図１において、コージェネレーション装置１１は燃料、例えば都市ガスやプロパンガスなどの炭化水素を含む原料ガスを改質して水素を主成分とする燃料ガスと空気中の酸素とを電気化学的に反応させて発電を行う燃料電池ユニット１２を有している。燃料電池ユニット１２が発電する際に熱を排出するが、燃料電池ユニット１２を冷却水で冷却し、この冷却水と貯湯ユニット１３内の水を熱交換器で熱交換させることにより、お湯を作り、貯湯ユニット１３内の貯湯タンク（図示せず）内にお湯を貯める。
【００１２】
また、貯湯タンク内のお湯が利用者がリモコン装置１５で設定した温度になっていない場合に、貯湯タンクから排出されるお湯をさらに加熱するために給湯器１４が設置されている。具体的には、給湯器１４には燃料電池ユニット１２に原料ガスとして供給されるガスと同一のガスと空気とが供給されて、給湯器１４において燃焼が行われることにより、お湯がリモコン装置１５に設定された温度に加熱される。このようにして、貯湯ユニット１３からリモコン装置で設定された温度のお湯が風呂や台所に供給される。また、給湯器１４が提供する機能として、温水を利用した暖房機１６やすぐにお湯が利用できるような即湯システム１７がある。ここで、即湯システム１７とは、台所、洗面台、風呂などの給湯栓からすぐにあたたかいお湯が出るように、常に給湯配管にお湯を巡回させるしくみのことである。
【００１３】
リモコン装置１５は、コージェネレーション装置１１において、利用者が発電方法の設定を行ったり、所望の給湯温度に設定したりするために利用される。また、暖房機１６や即湯システム１７を所望の時間に利用できるように、リモコン装置１５よりコージェネレーション装置の運転の予約設定を行うことができる。
【００１４】
図２は実施の形態１におけるリモコン装置の構成図である。リモコン装置１５は、コー
ジェネレーション装置の運転の予約内容を変更するための操作スイッチ部２３（操作部）と、操作スイッチ部２３により設定された予約内容がアイコンとして複数表示されている表示部２２と、を備えている。
【００１５】
操作スイッチ２３は、メニューボタン２４やアップボタン２６やダウンボタン２５や確定ボタン２７、ダイレクトスイッチ２８などを有しており、コージェネレーション装置１１の燃料電池ユニット１２の発電の設定操作と給湯器の設定操作を行う際にこれらを押すことにより設定、操作を行う。また、表示部２２には、複数のアイコンだけではなく、発電中か否かを示す表示、時間、給湯器が燃焼を行っているかを示す表示、給湯タンク内のお湯の貯湯状態を示す表示、利用者が設定した給湯温度、利用者が設定した風呂温度などが表示されている。また、表示部２２には、コージェネレーション装置１１で発生したエラー情報も表示される。さらに、表示部２２に示されたメニュー項目に示されたカーソルを上に移動させるにはアップボタン２６を、カーソルを下に移動させるにはダウンボタン２５を、押し、メニュー項目を選択し確定ボタン２７を押すことで、所望のメニュー項目を決定する操作をすることができる。また、ダイレクトスイッチ２８は、給湯・ふろ切／入（貯湯ユニット１３から台所や洗面台などの給湯栓への給湯およびお風呂へ給湯する機能のＯＮ／ＯＦＦ）やふろ自動運転（貯湯ユニット１３からお風呂へ設定された浴槽の水位まで自動的にお湯をためる機能）など、よく使う重要な機能をすぐにワンタッチで利用できるように用意されたボタンである。
【００１６】
図３は実施の形態１におけるリモコン装置のメイン画面を示す図などである。コージェネレーション装置１１の燃料電池ユニット１２の発電状態、貯湯ユニット１３の残り湯量、及びお湯設定温度を表示するメイン画面３１が図３（ａ）に示されている。メイン画面３１は、言い換えると、リモコン装置１５の初期状態である。また、燃料電池ユニット１２の発電設定の操作や貯湯ユニット１３のお湯設定温度などを操作する場合は、メニューボタン２４を操作し、図３（ｂ）に示す機器設定画面３２へ遷移して、機器設定画面３２の画面で操作を行う。この機器設定画面３２のメニュー項目に暖房機１６や即湯システム１７を所望の時間に利用できるように予約する項目がある。
【００１７】
また、コージェネレーション装置１１によるエネルギー発電量やＣＯ２削減量など省エネ効果を表示する場合には、ダイレクトスイッチ２８のエネルックボタン２９を押すと、情報表示画面３３へ遷移して、情報表示画面３３の画面で操作できる。なお、本実施の形態では、エネルックボタン２９を押した場合のみ省エネ効果を表示する画面を表示させるように設定されているが、機器設定画面３２のメニュー項目にエネルックの項目を作成することなどにも設定することができる。
【００１８】
図４は実施の形態１におけるリモコン装置の予約入画面の遷移図である。ここでは即湯予約を行う場合の画面を例に説明する。リモコン装置の初期画面のメイン画面３１においてメニューボタン２４により機器設定画面３２へ遷移し、アップボタン２６やダウンボタン２５で即湯設定の項目を選択したのち確定ボタン２７を押す。そうすると表示部２２に運転予約開始画面４１が表示される。この運転予約開始画面４１では、１日２４時間を１時間毎に各アイコンとして環状に表示し、時間毎の予約状況にあわせて２４個のアイコンそれぞれをオン確定アイコン４４（第１表示）とオフ確定アイコン４５（第２表示）を表示している。図６にも示すように、オン確定アイコン４４は白色で塗りつぶした円、オフ確定アイコンは黒抜きの白い円の表示である。なお、第１及び第２表示とは異なる第３表示のアイコンが表示されるように構成されてもよい。運転予約開始画面４１の図４（ａ）の例では１９時から２３時まで運転することを予約していて、それ以外は運転しないことが予約されている。この画面にてまず運転オンの予約するに際し、予約の項目に即湯入を選択する。次に、更に運転オンにする時間を予約しようと選択している画面が、図４（ｂ）に示す運転予約選択中画面４２で、仮予約状態でありオン選択中アイコン（第２仮予約
表示）４６を表示する。運転予約選択中画面４２の図４（ｂ）の例では６時から９時までのアイコンが運転するという予約の選択中の表示であり、図６（ｃ）に示すように、オン選択中アイコン４６（第２仮予約表示）が６時から９時まで表示されている。オン選択中アイコン４６は、図６（ｃ）に示すように、中央が白で塗りつぶされ、その白円の周りに黒色、さらにその黒円の周りが白円で囲まれている表示である。
【００１９】
なお、操作スイッチ部２３で運転を行うという予約（オン予約）をする際には、オン確定アイコン４４の時間は選択されず、次にオフ確定アイコン４５が表示されているアイコンにスキップして進み、これらの時間帯について予約を変更するための設定が行われる。予約操作を開始する際は、オフ確定アイコン４５が表示され、かつ、０時から最も近い時間のアイコンが選択される。そして、運転をする予約をしようと操作スイッチ部２３で時間を進めてゆくと、オン確定アイコン４４の時間帯のアイコンはスキップされる。また、全時間で運転予約がオンの場合には、予約の項目において即湯入は選択できず即湯切のみが選択できる。これにより運転予約済みの時間まで選択する無駄なリモコン操作の手間が省けて、さらにユーザーに簡単で使いやすいリモコン装置１５を実現することができる。
【００２０】
このように仮予約状態を設けたことで、もともと設定していた予約時間を示す運転予約のオン確定アイコン４４とこれから設定しようとする予約時間を示すオン選択中アイコン４６を見比べながら予約ができ、かつ画面がちらつく課題もなくなる。そして、仮予約状態を登録すれば運転予約のオンが確定し、運転予約完了画面４３へ遷移する。
【００２１】
図５は本発明の実施の形態１におけるリモコン装置の予約切画面の遷移状態を示している。図４と同様に、リモコン装置の初期画面のメイン画面３１においてメニューボタン２４により機器設定画面３２へ遷移する。機器設定画面３２において、アップボタン２６やダウンボタン２５で暖房や即湯機能の予約画面を選択したのち確定ボタン２７を押すと、運転予約開始画面５１が表示される。ここでは即湯予約を行う場合の画面を例に説明する。この運転予約開始画面５１では、図４と同様に、１日２４時間を１時間毎にアイコンとして表示し、時間毎の予約状況にあわせて運転予約オン確定アイコン４４と運転予約オフ確定アイコン４５を表示する。運転予約開始画面５１の例では１６時から２３時まで運転することを予約していて、それ以外は運転しないことが予約されている。この画面にてまず運転オフの予約として、この例では予約の項目で即湯切と設定する。次に、現在の予約画面から運転予約をオフにしようと選択している画面が、運転予約選択中画面５２で、仮予約状態でありオフ選択中アイコン（第１仮予約表示）５４として表示する。オフ選択中アイコン５４は、図６（ｄ）にも示したように、オフ確定アイコン４５の白円より太い白円で表示されている。
【００２２】
なお、運転予約をオフしようと操作スイッチ部２３で操作する際には、運転予約のオフ確定アイコン４５の時間は選択されず、次に運転予約オン確定アイコン４４が表示されていてかつ時間が進む方向の時間帯のアイコンが選択される。予約操作を開始する際は、運転予約のオン確定アイコン４４が表示されてかつ０時から最も近い時間が選択される。そして、運転予約をオフしようと操作スイッチ部２３で時間を進めてゆく場合は、運転予約オフ確定アイコン４５の時間帯のアイコンはスキップされて飛ばされる。また、全時間で運転予約がオフの場合には、予約の項目で即湯切は選択できず即湯入のみが選択できる。これにより運転予約済みの時間まで選択する無駄なリモコン操作の手間が省けて、さらにユーザーに簡単なリモコン装置１５となる。
【００２３】
以上のように仮予約状態を設けたことで、もともと設定していた予約時間を示す運転予約のオフ確定アイコン４５とこれから設定しようとする予約時間を示す運転予約のオフ選択中アイコン５４を見比べながら予約ができ、ユーザーに使いやすいリモコン装置１５となり、かつ画面がちらつくような課題もなくなる。また、もともと設定していた予約時間
とこれから設定しようとする予約時間を同時に確認することができるようになることによって、もともと設定していた予約時間を見比べながら予約時間を変更ができるようになり、ユーザーに分かりやすく、使いやすい操作となる。
【００２４】
なお、オン選択中アイコン４６、オフ選択中アイコンはそれぞれ、オン確定アイコン、オフ確定アイコンと異なる図形であれば、実施の形態１で説明した図形に限定されない。オン選択中アイコン４６は、四角形や三角形などの図形でもよい。
【産業上の利用可能性】
【００２５】
以上のように、本発明にかかるリモコン装置は、燃料電池だけでなく、ガスエンジンを利用するコージェネレーション装置や、給湯器などにも好適に適用することができる。
【符号の説明】
【００２６】
１１  コージェネレーション装置
１２  燃料電池ユニット
１３  貯湯ユニット
１４  給湯器
１５  リモコン装置
１６  暖房機
１７  即湯システム
２２  表示部
２３  操作スイッチ部（操作部）
２４  メニューボタン
２５  ダウンボタン
２６  アップボタン
２７  確定ボタン
２８  ダイレクトスイッチ
２９  エネルックボタン
３１  メイン画面
３２  機器設定画面
３３  情報表示画面
４１  運転予約開始画面
４２  運転予約選択中画面
４３  運転予約完了画面
４４  オン確定アイコン（第１表示）
４５  オフ確定アイコン（第２表示）
４６  オン選択中アイコン（第２仮予約表示）
５１  運転予約開始画面
５２  運転予約選択中画面
５３  運転予約完了画面
５４  オフ選択中アイコン（第１仮予約表示）
【図１】
2012175415.tif 000003
【図２】
2012175415.tif 000004
【図３】
2012175415.tif 000005
【図４】
2012175415.tif 000006
【図５】
2012175415.tif 000007
【図６】
2012175415.tif 000008